(57)【要約】【課題】背面板内を進む光を棚板内に導くことが可能な照明装置を提供する。【解決手段】一対の第１の板面を有し、光源からの光を一対の板面の間で内面反射を繰り返して導光させる第１の導光板と、一対の第２の板面と、その周辺に形成された端面とを有し、端面の一部が、一方の第１の板面に光学的に結合された結合面を形成し、光が第１の板面内を導光する方向に一対の第２の板面が交わるように結合面を介して一方の第１の板面に固定され、結合面から入射した光を反対側の端面の方向に内面反射を繰り返して導光させる第２の導光板と、第２の板面における結合面の近傍に設けられ、当該第２の板面に対して所定の角度θを成して形成され、結合面から第２の導光板内に入射し、当該第２の板面から当該第２の導光板の外部に向かう方向に進む光を、当該第２の板面の反対側の第２の板面に向けて反射させる反射面と、を備える。【選択図】図２Ａ
2012252949.tif 000002
【特許請求の範囲】
【請求項１】
光源と、
相対する一対の第１の板面を有し、前記光源からの光を前記一対の板面の間で内面反射を繰り返して導光させる第１の導光板と、
相対する一対の第２の板面と、その周辺に形成された端面とを有し、前記端面の一部が、一方の前記第１の板面に光学的に結合された結合面を形成し、前記光が前記第１の板面内を導光する方向に前記一対の第２の板面が交わるように前記結合面を介して前記一方の第１の板面に固定され、前記結合面から入射した前記光を反対側の端面の方向に内面反射を繰り返して導光させる第２の導光板と、
前記第２の板面における前記結合面の近傍に設けられ、当該第２の板面に対してあらかじめ決められた角度θを成して形成され、前記結合面から前記第２の導光板内に入射し、当該第２の板面から当該第２の導光板の外部に向かう方向に進む光を、当該第２の板面の反対側の第２の板面に向けて反射させる反射面と、
を備えたことを特徴とする照明装置。
【請求項２】
前記反射面は、前記一対の第２の板面のうち、前記光源から遠い側の第２の板面に設けられたことを特徴とする請求項１に記載の照明装置。
【請求項３】
前記一対の第２の板面の一方または双方に設けられ、前記第２の導光板内を前記内面反射する光の一部を偏向させて前記第２の導光板の外部に出射させる第１の光出射面を備えたことを特徴とする請求項１または請求項２に記載の照明装置。
【請求項４】
前記第１の光出射面は、前記結合面とは反対側の端面の近傍に設けられていることを特徴とする請求項３に記載の照明装置。
【請求項５】
前記第１の光出射面は、前記一対の第２の板面のうち、下方側の第２の板面に設けられていることを特徴とする請求項３または請求項４に記載の照明装置。
【請求項６】
前記一対の第２の板面間の距離をＷ２、前記第２の板面が接している媒体の屈折率をｎ１、前記第２の導光板の屈折率をｎ３としたとき、前記結合面から前記反対側の端面に向かう方向において前記結合面から前記反射面が設けられた位置までの距離Ｌは以下の条件を満たすことを特徴とする請求項１乃至請求項５のいずれかに記載の照明装置。
０≦Ｌ≦Ｌ１
［数１］
2012252949.tif 000030
［数２］
2012252949.tif 000031
【請求項７】
前記角度θの範囲は、［数１］で示した距離Ｌ１に対する距離Ｌの割合をＬ／Ｌ１としたとき、前記反射面が設けられた位置までの前記距離Ｌに応じて、以下に［数３］として示す式により定義されることを特徴とする請求項６に記載の照明装置。
［数３］
2012252949.tif 000032
但し、θｍｉｎ（Ｌ／Ｌ１）及びθｍａｘ（Ｌ／Ｌ１）は、以下の式により定義される。
［数４］
2012252949.tif 000033
［数５］
2012252949.tif 000034
［数６］
2012252949.tif 000035
【請求項８】
前記反射面を複数備え、［数４］で示したθｍｉｎ（Ｌ／Ｌ１）にＬ／Ｌ１＝０．９を代入した式をθｍｉｎ（０．９）とし、［数５］で示したθｍａｘ（Ｌ／Ｌ１）の式にＬ／Ｌ１＝０．０５を代入した式をθｍａｘ（０．０５）としたとき、前記反射面それぞれにおいて前記角度θが、以下に示す条件を満たすことを特徴とする請求項７に記載の照明装置。
［数７］
2012252949.tif 000036
【請求項９】
前記反射面を複数備え、［数４］で示したθｍｉｎ（Ｌ／Ｌ１）にＬ／Ｌ１＝０．７を代入した式をθｍｉｎ（０．７）とし、［数５］で示したθｍａｘ（Ｌ／Ｌ１）の式にＬ／Ｌ１＝０．３を代入した式をθｍａｘ（０．３）としたとき、前記反射面それぞれにおいて前記角度θが、以下に示す条件を満たすことを特徴とする請求項７に記載の照明装置。
［数８］
2012252949.tif 000037
【請求項１０】
θｍａｘ（Ｌ／Ｌ１）に代入したＬ／Ｌ１に０．５を加算した値をＬ／Ｌ１＋０．５とし、［数４］で示したθｍｉｎ（Ｌ／Ｌ１）の式にＬ／Ｌ１＝Ｌ／Ｌ１＋０．５を代入した式をθｍｉｎ（Ｌ／Ｌ１＋０．５）としたとき、前記反射面が、前記結合面から前記反対側の端面に向けて所定の幅を持ち、当該幅の中心において、前記角度θは、以下の条件を満たすことを特徴とする請求項７に記載の照明装置。
［数９］
2012252949.tif 000038
【請求項１１】
前記結合面が接続された前記第１の板面に接合された接合面と、前記一対の第２の板面のうち下方側の第２の板面に対向し、前記第２の導光板を下方から支持する支持面と、当該第１の板面から離れるにつれて厚みが減少するように設けられた斜面とを有し、透光性を有する補強部を備えたことを特徴とする請求項１乃至請求項１０のいずれかに記載の照明装置。
【請求項１２】
前記反射面は前記斜面に設けられていることを特徴とする請求項１１に記載の照明装置。
【請求項１３】
前記結合面が接続された前記第１の板面に設けられ、前記第１の導光板内を前記内面反射する光の一部を偏向させて前記第１の導光板の外部に出射させる第２の光出射面を備えたことを特徴とする請求項１乃至請求項１２のいずれかに記載の照明装置。
【発明の詳細な説明】
【技術分野】
【０００１】
この発明は、照明装置に関し、特に、導光板を発光させることで導光板の少なくとも一の面に対向する空間を照明する照明装置に関する。
【背景技術】
【０００２】
背面板に棚板を固定してなる棚板装置は、棚板に物を載置できる収納機能だけでなく、棚板上の載置物が部屋のアクセントとなる等の美観向上の機能にも優れたものである。この背面板や棚板に、硝子板や透明樹脂板等の透明板を用いた透明棚板装置がある。この透明棚板装置において、棚板に載置された物を照明したり、棚板や背面板の周囲を照明したりするために、棚板及び背面板自体を発光させようとする試みが行われている。例えば、特許文献１には、透光性を有する棚板の端面に光源を設け、棚板表面を発光させる技術が開示されている。また、特許文献２には、背面板、棚板、側面板に光散乱面を設けることで、透光性を有する棚板に光源からの光を導いて発光させる技術が開示されている。
【先行技術文献】
【特許文献】
【０００３】
【特許文献１】特開２００６−１６７３６３
【特許文献２】特開２００８−５５０３９
【発明の概要】
【発明が解決しようとする課題】
【０００４】
一方で、背面板及び棚板の双方に透光性を有する透明板を用い、かつ、背面板及び棚板自体を発光させたいというニーズがある。しかしながら、特許文献１に記載の発明では、棚板ごとに光源を設ける必要がある。そのため、光源などの不透明な部材の存在により、背面板が視覚的に分断され美観が損なわれる。さらに、背面板を発光させるためには背面板にも光源を設ける必要がある。
【０００５】
特許文献２に記載の発明においては、背面板の後方に設けた光源から発せられた光を反射させることにより、各棚板に光を入射させている。このため、棚板ごとに光源を設ける必要が無い。しかしながら、背面板は不透明であり、背面板を発光させることはできない。また、背面板と棚板のように互いに直交する板材の内部を透明にしたとしても、一方の板材内を全反射しながら導光する光は、他方の板材に入射した際に全反射の条件を満たさなくなる。そのため、他方の板材に入射した光は、板同士の接合部の近傍で全反射せずに外部に漏れ、その板材内を接合部とは逆側の端部に向けて導光しない。即ち、背面板内を進む光を棚板部に導いて棚板部を発光させることが困難である。
【０００６】
本発明は、背面板内を進む光を棚板内に導くことが可能な照明装置を提供することを目的とする。
【課題を解決するための手段】
【０００７】
請求項１に記載の発明は、請求項１に記載の発明は、光源と、相対する一対の第１の板面を有し、前記光源からの光を前記一対の板面の間で内面反射を繰り返して導光させる第１の導光板と、相対する一対の第２の板面と、その周辺に形成された端面とを有し、前記端面の一部が、一方の前記第１の板面に光学的に結合された結合面を形成し、前記光が前記第１の板面内を導光する方向に前記一対の第２の板面が交わるように前記結合面を介して前記一方の第１の板面に固定され、前記結合面から入射した前記光を反対側の端面の方向に内面反射を繰り返して導光させる第２の導光板と、前記第２の板面における前記結合面の近傍に設けられ、当該第２の板面に対してあらかじめ決められた角度θを成して形成され、前記結合面から前記第２の導光板内に入射し、当該第２の板面から当該第２の導光板の外部に向かう方向に進む光を、当該第２の板面の反対側の第２の板面に向けて反射させる反射面と、を備えたことを特徴とする照明装置である。
また、請求項２に記載の発明は、請求項１に記載の照明装置であって、前記反射面は、前記一対の第２の板面のうち、前記光源から遠い側の第２の板面に設けられたことを特徴とする。
また、請求項３に記載の発明は、請求項１またな請求項２に記載の照明装置であって、前記一対の第２の板面の一方または双方に設けられ、前記第２の導光板内を前記内面反射する光の一部を偏向させて前記第２の導光板の外部に出射させる第１の光出射面を備えたことを特徴とする。
また、請求項４に記載の発明は、請求項３に記載の照明装置であって、前記第１の光出射面は、前記結合面とは反対側の端面の近傍に設けられていることを特徴とする。
また、請求項５に記載の発明は、請求項３または請求項４に記載の照明装置であって、前記第１の光出射面は、前記一対の第２の板面のうち、下方側の第２の板面に設けられていることを特徴とする。
また、請求項６に記載の発明は、請求項１乃至請求項５のいずれかに記載の照明装置であって、前記一対の第２の板面間の距離をＷ２、前記第２の板面が接している媒体の屈折率をｎ１、前記第２の導光板の屈折率をｎ３としたとき、前記結合面から前記反対側の端面に向かう方向において前記結合面から前記反射面が設けられた位置までの距離Ｌは以下の条件を満たすことを特徴とする。
０≦Ｌ≦Ｌ１
［数１］
2012252949.tif 000003
［数２］
2012252949.tif 000004
また、請求項７に記載の発明は、請求項６に記載の照明装置であって、前記角度θの範囲は、［数１］で示した距離Ｌ１に対する距離Ｌの割合をＬ／Ｌ１としたとき、前記反射面が設けられた位置までの前記距離Ｌに応じて、以下に［数３］として示す式により定義されることを特徴とする。
［数３］
2012252949.tif 000005
但し、θｍｉｎ（Ｌ／Ｌ１）及びθｍａｘ（Ｌ／Ｌ１）は、以下の式により定義される。
［数４］
2012252949.tif 000006
［数５］
2012252949.tif 000007
［数６］
2012252949.tif 000008
また、請求項８に記載の発明は、請求項７に記載の照明装置であって、前記反射面を複数備え、［数４］で示したθｍｉｎ（Ｌ／Ｌ１）にＬ／Ｌ１＝０．９を代入した式をθｍｉｎ（０．９）とし、［数５］で示したθｍａｘ（Ｌ／Ｌ１）の式にＬ／Ｌ１＝０．０５を代入した式をθｍａｘ（０．０５）としたとき、前記反射面それぞれにおいて前記角度θが、以下に示す条件を満たすことを特徴とする。
［数７］
2012252949.tif 000009
また、請求項９に記載の発明は、請求項７に記載の照明装置であって、前記反射面を複数備え、［数４］で示したθｍｉｎ（Ｌ／Ｌ１）にＬ／Ｌ１＝０．７を代入した式をθｍｉｎ（０．７）とし、［数５］で示したθｍａｘ（Ｌ／Ｌ１）の式にＬ／Ｌ１＝０．３を代入した式をθｍａｘ（０．３）としたとき、前記反射面それぞれにおいて前記角度θが、以下に示す条件を満たすことを特徴とする。
［数８］
2012252949.tif 000010
また、請求項１０に記載の発明は、請求項７に記載の照明装置であって、θｍａｘ（Ｌ／Ｌ１）に代入したＬ／Ｌ１に０．５を加算した値をＬ／Ｌ１＋０．５とし、［数４］で示したθｍｉｎ（Ｌ／Ｌ１）の式にＬ／Ｌ１＝Ｌ／Ｌ１＋０．５を代入した式をθｍｉｎ（Ｌ／Ｌ１＋０．５）としたとき、前記反射面が、前記結合面から前記反対側の端面に向けて所定の幅を持ち、当該幅の中心において、前記角度θは、以下の条件を満たすことを特徴とする。
［数９］
2012252949.tif 000011
また、請求項１１に記載の発明は、請求項１乃至請求項１０のいずれかに記載の照明装置であって、前記結合面が接続された前記第１の板面に接合された接合面と、前記一対の第２の板面のうち下方側の第２の板面に対向し、前記第２の導光板を下方から支持する支持面と、当該第１の板面から離れるにつれて厚みが減少するように設けられた斜面とを有し、透光性を有する補強部を備えたことを特徴とする。
また、請求項１２に記載の発明は、請求項１１に記載の照明装置であって、前記反射面は前記斜面に設けられていることを特徴とする。
また、請求項１３に記載の発明は、請求項１乃至請求項１２のいずれかに記載の照明装置であって、前記結合面が接続された前記第１の板面に設けられ、前記第１の導光板内を前記内面反射する光の一部を偏向させて前記第１の導光板の外部に出射させる第２の光出射面を備えたことを特徴とする。
【発明の効果】
【０００８】
この発明に係る照明装置は、第１の導光板から結合面を介し第２の導光板の第２の板面に入射した光を、当該第２の板面に対してあらかじめ決められた角度θを成して形成された反射面により内面反射させる。これにより、第１の導光板内を導かれた光を、第２の導光板内に導き、導光させることが可能となる。このような構成とし、第２の導光板内を導かれた光を、第２の導光板の外部に出射させることで、第２の導光板ごとに光源を設ける必要が無くなる。これにより、そのため、第１の導光板内を導かれた光を第２の導光板内に導光させる過程において、不透明の部分を形成することなく、第２の導光板を発光させることが可能となる。
【図面の簡単な説明】
【０００９】
【図１】本発明に係る照明装置の正面図である。
【図２Ａ】第１の実施形態に係る照明装置のＩＩ−ＩＩ概略断面図である。
【図２Ｂ】図２Ａにおける光反射部の近傍を拡大した拡大断面図である。
【図３Ａ】第１の実施形態において背面導光板から棚板導光板に入射する光の様子を説明するための図である。
【図３Ｂ】図３Ａにおける光反射部の近傍を拡大した拡大図である。
【図４Ａ】光反射部の設置条件について説明するための図である。
【図４Ｂ】光反射部の設置条件について説明するための図である。
【図４Ｃ】光反射部の設置条件について説明するための図である。
【図５Ａ】背部端面から前部端面に向けて離れるほど、反射面の角度を小さくした場合における、背面導光板から棚板導光板に入射する光の様子を説明するための図である。
【図５Ｂ】図５Ａにおける光反射部の近傍を拡大した拡大図である。
【図６】光反射部の態様の一例である。
【図７Ａ】光射出面により棚板導光板内を導かれる光が偏向される様子を説明するための図である。
【図７Ｂ】光射出構造により棚板導光板内を導かれる光が偏向される様子を説明するための図である。
【図８Ａ】角度θと背面導光板内の光量と棚板導光板内の光量との関係を表した表である。
【図８Ｂ】反射面の角度θと棚板導光板内に導かれる光の割合との関係を示したグラフである。
【図９】実施例１における、θ３ｍｉｎ（Ｌ／Ｌ１）、θ３ｍａｘ、θｍｉｎ（Ｌ／Ｌ１）、θｍａｘ１（Ｌ／Ｌ１）、及びθｍａｘ２（Ｌ／Ｌ１）の計算値を示した表である。
【図１０Ａ】実施例２における、角度θの条件として、条件２−０〜２−５、及び比較例２−１、２−２の値を示した表である。
【図１０Ｂ】実施例２における、角度θの条件として、条件２−０、２−６〜２−１０、及び比較例２−１、２−２の値を示した表である。
【図１１】各実施例の距離Ｌと角度θとの関係を示したグラフである。
【図１２】各実施例における、棚板導光板内に導かれる光の割合を示したグラフである。
【図１３Ａ】第２の実施形態に係る照明装置の概略断面図である。
【図１３Ｂ】図１３Ａにおける光反射部の近傍を拡大した拡大断面図である。
【発明を実施するための形態】
【００１０】
（第１の実施形態）
本発明に係る照明装置は、背面板及び棚板の双方に透光性を有する透明板を用いた透明棚板装置に照明機能を付加し、その背面板や棚板を面発光させる。第１の実施形態に係る照明装置について、図１、図２Ａ、及び図２Ｂを参照しながら説明する。なお、本実施形態に係る照明装置について説明するにあたり、図１に示す正面図の横方向をｘ方向、高さ方向をｚ方向とし、ｘ方向及びｚ方向に直交する奥行き方向をｙ方向とする。即ち、図２Ａは、本実施形態に係る照明装置を、図１にＩＩ−ＩＩで示されたｙｚ平面で切断した概略断面図を示している。
【００１１】
図１に示すように、本実施形態に係る照明装置は、外枠部１と、背面導光板３と、照明ユニット４２と、電源ユニット４３と、棚板導光板５と、光反射部６とを含んで構成されている。
【００１２】
外枠部１は、天板１１と、底板１２と、側板１３とを備えている。天板１１と底板１２とは対向し、側板１３は、対向する天板１１の端部近傍と底板１２の端部近傍との間のそれぞれを架設するように設けられている。図２に示すように、天板１１は、やや奥行きのある平面視長方形の板体である。天板１１と、底板１２と、側板１３とは、例えば、アルミ等の金属、不透明樹脂、または木材により形成することが可能である。
【００１３】
図１に示すように、外枠部１の内面部、即ち、天板１１、底板１２、及び側板１３の内面部には、周溝２が設けられている。また、図２Ａに示すように、周溝２は、ｙ方向に所定の間隔をもって形成されている。
【００１４】
図１に示すように、背面導光板３は、例えば長方形の平板形状を成し、表面３４と、裏面３５と、表面３４及び裏面３５の周囲に設けられた上部端面３１、下部端面３２、及び側部端面３３とを含んで構成される。表面３４上には、結合領域３６が設けられている。結合領域３６には、棚板導光板５の背部端面５３が光学的に結合されている。なお、「光学的に結合されている」という表現は、双方の結合面を介して、少なくとも背面導光板３から棚板導光板５の方向に光が通過可能に構成されていることを意味し、必ずしも物理的に接合されている必要はない。棚板導光板５の詳細については後述する。また、表面３４上には、発光領域３７が設けられている。発光領域３７には、光出射面８が設けられている。光出射面８の詳細については後述する。背面導光板３の上部端面３１、下部端面３２、及び側部端面３３は、周溝２に嵌合可能に構成されている。それにより、背面導光板３の上部端面３１、下部端面３２、及び側部端面３３を、周溝２に係合させることが可能である。この係合によって、背面導光板３が外枠部１に取り付けられる。
【００１５】
背面導光板３は、光を透過可能な透光性を有する薄板である。背面導光板３は、上部端面３１、下部端面３２、及び側部端面３３のいずれかの端部から光が入射すると、表面３４と裏面３５のそれぞれで内面反射（全反射）させることで、入射した光を反対側の端部に導く。背面導光板３の素材としては、例えば、アクリルやポリカーボネートなどの樹脂、ガラス等が採用される。
【００１６】
図１に示すように、背面導光板３は、ｚ方向にＷ３の高さを有し、ｘ方向にＷ４の幅を有する。また、図２に示すように、背面導光板３は、ｙ方向にＷ１の厚さを有する。背面導光板３の寸法、即ち、Ｗ３、Ｗ４、及びＷ１は、上部端面３１、下部端面３２、及び側部端面３３のいずれかの端部から入射した光を反対側の端部に導くことが可能な寸法であればよい。背面導光板３には、一般的には、高さＷ３が１５ｃｍ〜２００ｃｍ、幅Ｗ４が１５ｃｍ〜２００ｃｍ、厚さＷ１が０．２ｃｍ〜２ｃｍのものが使われる。
【００１７】
また、背面導光板３は、表面３４及び裏面３５が長方形である平板形状を成しているが、表面３４及び裏面３５の形状は長方形に限定されない。表面３４及び裏面３５の周辺に設けられた端面のうちの一部に入射した光を反対側の一部に導けば、表面３４及び裏面３５の形状は限定されない。例えば、背面導光板３は、表面３４及び裏面３５が円形である平面形状でもよい。また、背面導光板３は、平板形状に限らず、例えば柱状のものを用いてもよい。この場合、柱状の背面導光板３の側面に結合領域３６及び発光領域３７を設ければよい。
【００１８】
天板１１には、図１及び図２に示すように、周溝２部分の裏側にｘ方向に長い形状の凹部１１１が設けられている。図２に示すように、凹部１１１内には、ｙ方向に凹部１１１の幅に略等しい幅を有し、ｘ方向に長い形状の照明ユニット４２が係合して収められている。また、照明ユニット４２には、光源４１が設けられている。光源４１は、背面導光板３の上部端面３１に対向して配置されている。光源４１には、例えばＬＥＤ（Ｌｉｇｈｔ  Ｅｍｉｔｔｉｎｇ  Ｄｉｏｄｅ）が用いられ、この場合には、照明ユニット４２の長軸方向（即ち、ｘ方向）に複数個を等間隔で並べて照明ユニット４２に配設する。なお、この場合は、上部端面３１が「端面の一部」に相当する。
【００１９】
また、照明ユニット４２用の電源ユニット４３が、照明ユニット４２と同じく凹部１１１に納められている。電源ユニット４３は、光源４１のＯＮ／ＯＦＦを切り替え可能に構成されている。凹部１１１は、さらに、照明ユニット４２及び電源ユニット４３が納められた後の残りの空間を、照明ユニット４２への電源供給線の余長部分を納める空間として利用することが可能である。
【００２０】
（棚板導光板５）
棚板導光板５は、例えば長方形の平板形状を成し、上面５１と、下面５２と、上面５１及び下面５２の周囲に設けられた端面とで構成される。この端面は、表面３４に対向する背部端面５３と、背部端面５３とは反対側の前部端面５４とを含む。棚板導光板５は、上部端面３１から下部端面３２に向けた方向（即ち、ｚ方向）が、上面５１及び下面５２と交わるような向きに設置されている。即ち、上面５１及び下面５２に立てた各垂線が、ｚ方向の成分を有する。上面５１上及び下面５２上のいずれかまたは双方の背部端面５３近傍には、光反射部６が設けられている。光反射部６の詳細については後述する。また、下面５２上の前部端面５４近傍には、発光領域５５が設けられている。発光領域５５には、光出射面７が設けられている。光出射面７の詳細については後述する。
【００２１】
棚板導光板５は、光を透過可能な透光性を有する薄板である。棚板導光板５は、背部端面５３から光が入射すると、上面５１と下面５２のそれぞれで内面反射（全反射）させることで、入射した光を反対側の前部端面５４に導く。棚板導光板５の素材としては、例えば、アクリルやポリカーボネートなどの樹脂、ガラス等が採用される。
【００２２】
背部端面５３は、結合領域３６と光学的に結合されている。例えば、背部端面５３と結合領域３６との間を、透光性を有する素材で形成された接着剤で接合する。接着剤には、例えば、アクリル系ＵＶ接着剤等が採用される。また、背面導光板３と棚板導光板５とを一体成形してもよい。
【００２３】
また、背部端面５３と結合領域３６との間は、結合領域３６から出射する光が、背部端面５３から棚板導光板５内に入射可能であれば、必ずしも接合されている必要は無い。例えば、棚板導光板５を下方から支持する支持部を設けることで、棚板導光板５を着脱可能に構成してもよい。この場合には、背部端面５３と結合領域３６との間の空気の層を、透光性を有し、かつ形状を自由に変更可能な素材で埋める。このような素材には、例えば、シリコーンやアクリル等のエラストマー等を用いればよい。
【００２４】
なお、棚板導光板５を下方から支持する支持部としては、棚板導光板５の下部に、下方から棚板導光板５を支持する補強部が挙げられる。補強部を含む構成については、第２の実施形態で説明する。また、図１に示す側板１３に、ｙ方向に沿って周溝２を形成し、この周溝２に棚板導光板５のｘ方向の端面を係合させることで棚板導光板５を支持する構成としてもよい。なお、背部端面５３と結合領域３６との間を接合する場合においても、棚板導光板５を支持しきれない場合には、このような支持部を設けてもよい。なお、背部端面５３が「結合面」に相当する。
【００２５】
図１に示すように、棚板導光板５は、ｘ方向にＷ４の幅を有する。また、図２Ａに示すように、棚板導光板５は、ｙ方向にＷ５の奥行きを有し、ｚ方向にＷ２の厚さを有する。棚板導光板５の寸法、即ち、Ｗ４、Ｗ５、及びＷ２は、背部端面５３から入射した光を反対側の前部端面５４に導くことが可能な寸法であればよい。棚板導光板５には、一般的には、幅Ｗ４が１５ｃｍ〜２００ｃｍ、奥行きＷ５が１０ｃｍ〜１００ｃｍ、厚さＷ２が０．２ｃｍ〜２ｃｍのものが使われる。
【００２６】
また、棚板導光板５は、上面５１及び下面５２が長方形である平板形状を成しているが、上面５１及び下面５２の形状は長方形に限定されない。上面５１及び下面５２の周辺に背部端面５３を設け、この背部端面５３に入射した光を反対側の前部端面５４に導けば、上面５１及び下面５２の形状は限定されない。例えば、棚板導光板５は、上面５１及び下面５２が円形である平面形状でもよい。
【００２７】
（光反射部６）
次に、光反射部６について図２Ｂを参照しながら説明する。図２Ｂは、図２Ａにおいて、下面５２に設けられた光反射部６の近傍を拡大した拡大断面図である。図２Ｂに示すように、光反射部６は、下面５２上の、背部端面５３から前部端面５４に向かう方向において、背部端面５３から所定の距離Ｌの範囲に１以上設けられている。以降では、下面５２上に光反射部６が複数設けられているものとする。このとき、複数の光反射部６のうち個々を区別する場合、背部端面５３に近い方に設けられた光反射部６を「光反射部６Ａ」と記載、光反射部６Ａに対しｙ方向の前部端面５４側に隣接して設けられた光反射部６を「光反射部６Ｂ」と呼ぶ場合がある。なお、距離Ｌの条件については後述する。
【００２８】
光反射部６は、反射面６１と、端面６２と、接合面６３とを含んで構成されている。接合面６３は、下面５２に対向している。光反射部６は、接合面６３で下面５２と接合されている。端面６２は、下面５２からｚ方向の下方に立ち上がるように設けられている。また、反射面６１は、下面５２との間でｚ方向に所定の角度θの傾きを形成するように設けられている。角度θの条件については後述する。
【００２９】
光反射部６は、光を透過可能な透光性を有する。光反射部６には、棚板導光板５と屈折率の同じ素材を用いるとよい。光反射部６の素材としては、例えば、アクリルやポリカーボネートなどの樹脂、ガラス等が採用される。
【００３０】
背部端面５３から棚板導光板５に入射した光の一部は、接合面６３から光反射部６内に入射する。このときの光の光路について図３Ａ及び図３Ｂを参照しながら説明する。図３Ａは、背面導光板３から、背部端面５３を介して棚板導光板５内に入射した光の光路を示している。また、図３Ｂは、図３Ａにおける光反射部６の近傍を拡大した拡大図である。なお、図３Ａ及び図３Ｂでは、説明のため、背面導光板３内及び棚板導光板５内を導かれる光束の一部の光路を単一の線で模擬的に示している。また、以降の説明では、空気（即ち、表面３４、裏面３５、上面５１、及び下面５２が接している媒体）の屈折率をｎ１＝１．０、背面導光板３の屈折率をｎ２、棚板導光板５の屈折率をｎ３として説明する。
【００３１】
光路Ｒ１１〜Ｒ１３に示すように、背面導光板３内を内面反射を繰り返しながら導かれた光は、背部端面５３を介して棚板導光板５内に入射する。背部端面５３から棚板導光板５に入射した光の一部は、接合面６３から光反射部６内に入射する。
【００３２】
ここで、図３Ｂを参照する。光反射部６内に入射した光は、反射面６１に入射する。例えば、光路Ｒ１１及びＲ１２で示された光は、光反射部６Ａの反射面６１に入射する。反射面６１は、下面５２に角度θだけ傾いて形成されている。そのため、光反射部６内に入射した光は、棚板導光板５内において下面５２に入射する場合よりも角度θだけ浅く反射面６１に入射することになる。
【００３３】
反射面６１に入射した光は、反射面６１で内面反射（全反射）される。この反射面６１で内面反射された光のうち、例えば、光路Ｒ１１で示した光は、接合面６３から棚板導光板５内に再び入射する。また、光路Ｒ１２で示した光は、端面６２から光反射部６Ａの外部に出射する。端面６２から光反射部６Ａの外部に出射した光は、光反射部６Ｂの反射面６１に入射し、光反射部６Ｂを介して棚板導光板５内に再び入射する。なお、上部端面３１から入射した光は、下面５２に設けられた光反射部６に入射する。そのため、光反射部６は、上面５１及び下面５２のうち、少なくとも下面５２側に設けられていればよい。具体的には、上面５１及び下面５２のうち、その板面に立てた垂線の方向が、光が入射した上部端面３１から反対側の下部端面３２に向けた方向の成分を有する側の面に光反射部６が設けられていればよい。
【００３４】
上記したように、光反射部６内に入射した光を、反射面６１で内面反射させ、棚板導光板５内に再び入射させるための光反射部６の角度θの条件と、光反射部６を設ける距離Ｌの範囲について、図４Ａ〜図４Ｃを参照しながら説明する。図４Ａ〜図４Ｃは、光反射部６の設置条件、即ち、角度θ及び距離Ｌの条件について説明するための図である。なお、図４Ａ〜図４Ｃでは、説明のため、背面導光板３内及び棚板導光板５内を導かれる光束の一部の光路を単一の線で模擬的に示している。
【００３５】
まず、図４Ａを参照しながら、距離Ｌの条件について説明する。図４Ａは、距離Ｌの条件について説明するための図である。図４Ａは、背面導光板３の裏面３５で内面反射し背部端面５３から棚板導光板５内に入射した光が、最初に下面５２に入射する場合において、下面５２で内面反射をおこさない光が到達する、背部端面５３から前部端面５４に向けた方向の距離の最大値、即ち、最大距離Ｌ１を示している。図４Ａの光路Ｒ１で示すように、上面５１と表面３４とが接する位置から棚板導光板５内に入射した光が、下面５２における、背部端面５３から最大距離Ｌ１の位置に入射する。なお、角度θ３ｃｒｉｔは、屈折率ｎ３の媒質内（即ち、棚板導光板５内）で全反射するための、下面５２（または、上面５１）に対する光の入射角度の最小値（即ち、臨界角）を示している。
【００３６】
以上から、背部端面５３から前部端面５４に向けて距離Ｌ１までの範囲に光反射部６を設ければよいことがわかる。即ち、距離Ｌは、以下の条件で示される。
０≦Ｌ≦Ｌ１
但し、Ｌ１は、以下の式により定義される。
［数１］
2012252949.tif 000012
［数２］
2012252949.tif 000013
【００３７】
次に、図４Ｂを参照する。図４Ｂは、距離Ｌの位置に設けられた反射面６１に入射した光を、棚板導光板５に向けて全反射させるための光反射部６の角度θの条件について説明するための図である。なお、角度θ２ｃｒｉｔは、屈折率ｎ２の媒質内（即ち、背面導光板３内）で全反射するための、表面３４（または、裏面３５）に対する光の入射角度の最小値（即ち、臨界角）を示している。
【００３８】
図４Ｂにおいて、入射角度θ３ｍｉｎは、距離Ｌの地点において、下面５２（または、上面５１）に入射する光の入射角度の最小値を示している。図４Ｂに示すように、光路Ｒ２で示した光、即ち、背面導光板３の裏面３５で内面反射し背部端面５３から棚板導光板５内に入射した光が、距離Ｌの地点において、入射角度θ３ｍｉｎで下面５２に入射する。このことから、入射角度θ３ｍｉｎは、距離Ｌの関係式θ３ｍｉｎ（Ｌ）として、下の式で示される。
［数１０］
2012252949.tif 000014
上記式において、θ３ｍｉｎ（Ｌ）を、Ｌ１に対するＬの比率を示す式、即ち、Ｌ／Ｌ１の関数θ３ｍｉｎ（Ｌ／Ｌ１）とした場合には、θ３ｍｉｎ（Ｌ／Ｌ１）は、以下の式で示される。
［数６］
2012252949.tif 000015
【００３９】
また、図４Ｂにおいて、入射角度θ３ｍａｘは、距離Ｌの地点において、下面５２（または、上面５１）に対して光が入射する角度の最大値を示している。この角度は、屈折率ｎ３の媒質内（即ち、棚板導光板５内）で全反射するための、下面５２（または、上面５１）に対する光の入射角度の最小値（即ち、臨界角）を示している。この角度は、距離Ｌに拘らず一定である。ゆえに、入射角度θ３ｍａｘは、以下の式で示される。
［数１１］
2012252949.tif 000016
【００４０】
ここで、図４Ｃを参照する。図４Ｃは、棚板導光板５内から下面５２に入射する光の入射角と、光反射部６の反射面６１との関係を示している。図４Ｃにおいて、入射角度θ３は、光の入射角度を示している。図４Ｃに示すように、反射面６１は、棚板導光板５の下面５２に対して、ｚ方向に角度θの傾きを成して設けられている。そのため、下面５２に対して入射角度θ３で入射する光は、反射面６１には、入射角度θ３＋θで入射することになる。この入射角度θ３＋θで入射した光が、屈折率ｎ３の媒質内で全反射する必要がある。即ち、入射角度θ３＋θの最小値は入射角度θ３ｃｒｉｔとなる。
【００４１】
上述したように、入射角度θ３の取り得る範囲は、最小値はθ３ｍｉｎ（Ｌ／Ｌ１）と、最大値はθ３ｍａｘとにより、θ３ｍｉｎ（Ｌ／Ｌ１）≦θ３≦θ３ｍａｘで示される。このうち、θ３ｍｉｎ（Ｌ／Ｌ１）の光が反射面６１で全反射するための条件は以下の式で示される。
［数１２］
2012252949.tif 000017
即ち、この場合のθの最小値を示す関数θｍｉｎ（Ｌ／Ｌ１）は、以下の式で示される。
［数４］
2012252949.tif 000018
【００４２】
また、θ３ｍｉｎ（Ｌ／Ｌ１）の光が反射面６１で全反射された後、棚板導光板５の内部に導かれるための条件は、以下の式で示される。
［数１３］
2012252949.tif 000019
【００４３】
また、θ３ｍａｘ（Ｌ／Ｌ１）の光が反射面６１で全反射された後、棚板導光板５の内部に導かれるための条件は、以下の式で示される。
［数１４］
2012252949.tif 000020
【００４４】
ここで、θ３ｍａｘ（Ｌ／Ｌ１）≧θ３ｍｉｎ（Ｌ／Ｌ１）であるため、θｍａｘ２（Ｌ／Ｌ１）＜θｍａｘ１（Ｌ／Ｌ１）となる。ゆえに、θの最大値を示す関数をθｍａｘ（Ｌ／Ｌ１）とした場合、θｍａｘ（Ｌ／Ｌ１）＝θｍａｘ１（Ｌ／Ｌ１）となる。即ち、θｍａｘ（Ｌ／Ｌ１）は以下の式で示される。
［数５］
2012252949.tif 000021
【００４５】
以上をまとめると、光反射部６の角度θは、以下の条件で示される。
［数３］
2012252949.tif 000022
但し、θｍｉｎ（Ｌ／Ｌ１）及びθｍａｘ（Ｌ／Ｌ１）は、以下の式により定義される。
［数４］
2012252949.tif 000023
［数５］
2012252949.tif 000024
［数６］
2012252949.tif 000025
［数２］
2012252949.tif 000026
【００４６】
なお、上記式からもわかる通り、光反射部６の角度θは、最大距離Ｌ１及び距離Ｌとの関係により定義される。そのため、光反射部６を複数設ける場合には、背部端面５３から前部端面５４に向けて離れるほど、その光反射部６の角度θを小さくすることで、より多くの光を棚板導光板５内に導くことが可能となる。例えば、図５Ａ及び図５Ｂは、このような場合の例を示している。図５Ａは、背部端面５３から前部端面５４に向けて離れるほど、その光反射部６の角度θを小さくした場合における、背面導光板３から棚板導光板５に入射する光の様子を説明するための図である。また、図５Ｂは、図５Ａにおける光反射部６の近傍を拡大した拡大図である。
【００４７】
図５Ａに示すように、光路Ｒ２２、Ｒ２１、Ｒ２３の順で、その光路で示された光が、背部端面５３から前部端面５４に向けて、より離れた位置に設置された光反射部６に入射する。
【００４８】
ここで、図５Ｂを参照する。図５Ｂに示すように、光路Ｒ２２で示された光は、光反射部６Ａの反射面６１で反射され、棚板導光板５内に再び導かれる。同様に、光路Ｒ２１で示された光は、光反射部６Ｂの反射面６１で反射され、棚板導光板５内に再び導かれる。
【００４９】
図５Ｂにおいて、距離Ｌ６Ａは、背部端面５３から、光反射部６Ａの反射面６１のｙ方向の中心までの距離を示している。このとき、角度θ６Ａは、［数３］に示した式により、この距離Ｌ６Ａに基づき算出された光反射部６の角度θを示している。また、距離Ｌ６Ｂは、背部端面５３から、光反射部６Ｂの反射面６１のｙ方向の中心までの距離を示している。このとき、角度θ６Ｂは、［数３］に示した式により、この距離Ｌ６Ｂに基づき算出された光反射部６の角度θを示している。図５Ｂに示すように、Ｌ６Ａ＜Ｌ６Ｂの関係が成り立ち、このとき、角度θ６Ａと角度θ６Ｂとの関係は、［数３］に示した式から角度θ６Ａ＞角度θ６Ｂとなる。
【００５０】
また、上記では、光反射部６を上面５１及び下面５２に接合する例について説明したが、反射面６１が形成されれば構成は限定されない。例えば、図６に示すように、棚板導光板５から反射面６１を削り出してもよい。図６の例では、下面５２の、背部端面５３から前部端面５４に向けて距離Ｌの範囲を切削し、反射面６１を有する光反射部６’を設けている。
【００５１】
（光出射面７）
次に、光出射面７について図２Ａ、図７Ａ及び図７Ｂを参照しながら説明する。まず図２Ａを参照する。光出射面７は、棚板導光板５の下面５２上における発光領域５５に散乱剤を塗布することで設けられる。散乱剤は、入射した光の方向をランダムな方向に偏向させる（即ち、散乱させる）。光出射面７として用いられる散乱剤としては、例えば、酸化チタン（ＴｉＯ２）、炭酸カルシウム（ＣａＣＯ３）、各種顔料系インク、または樹脂微粒子等が用いられる。
【００５２】
ここで、図７Ａを参照する。図７Ａは、光出射面７により棚板導光板５内を導かれる光が偏向される様子を説明するための図であり、棚板導光板５内を導かれる光の光路を示している。なお、図７Ａでは、説明のため、棚板導光板５内を導かれる光束の一部の光路を単一の線で模擬的に示している。光路Ｒ１４で示すように、背部端面５３から棚板導光板５内に入射した光は、上面５１の内面５１’と、下面５２の内面５２’との間を、内面反射を繰り返しながら前部端面５４に向けて導かれる。このとき、棚板導光板５内に入射した光は、内面５１’及び５２’のそれぞれで全反射する。
【００５３】
光路Ｒ１５で示すように、棚板導光板５内に入射した光は、光出射面７が設けられた領域に入射した場合、光出射面７により偏向される。これにより、その光は、内面５２’で全反射せずに背面導光板３の外部に出射する。具体的には、内面５２’の光出射面７が設けられた位置に入射した光は、光出射面７内に入射し、散乱剤の粒子にぶつかることでランダムな方向に偏向される。このとき、棚板導光板５に入射した光のうち、棚板導光板５から光出射面７に向けた方向の一部は、光路Ｒ１５ａで示すように下面５２側に出射する。また、光出射面７で反射する方向の一部は、光路Ｒ１５ｂで示すように上面５１側に出射する。この棚板導光板５の外部に出射した光により、光出射面７が設けられた近傍の空間が照明される。
【００５４】
なお、光出射面７に替えて、図７Ｂに示すように光偏向構造７’を設けてもよい。図７Ｂは、光偏向構造７’により棚板導光板５内を導かれる光が偏向される様子を説明するための図であり、棚板導光板５内を導かれる光の光路を示している。なお、図７Ｂでは、説明のため、棚板導光板５内を導かれる光束の一部の光路を単一の線で模擬的に示している。図７Ｂに示すように、光偏向構造７’は、表面３４上に凸部（または凹部）を設けたものである。光路Ｒ１４は、図７Ａに示した光路Ｒ１４と同様である。
【００５５】
光路Ｒ１６及びＲ１７で示すように、背面導光板３内に入射した光は、光偏向構造７’の凸部に入射した場合、この凸部により偏向される。これにより、その光は、内面５２’で全反射せずに背面導光板３外部に出射する。このとき、光路Ｒ１６ａで示すように、光偏向構造７’の凸部に入射した光の一部は、凸部で内面反射せずに下面５２側に出射する。これは、凸部に対する光の入射角が全反射の条件を満たさなくなるためである。また、光路Ｒ１７ａで示すように、凸部に入射した光の一部は、凸部で内面反射したうえで、内面５１’で内面反射せずに上面５１側に出射する。これは、凸部により反射されることで、内面５１’に対する光の入射角が全反射の条件を満たさなくなるためである。このようにして、棚板導光板５の外部に出射した光により、光偏向構造７’が設けられた近傍の空間が照明される。
【００５６】
このように、棚板導光板５内を導かれる光を偏向させることで、棚板導光板５の外部に出射させる構造であれば、光出射面７や、光偏向構造７’の態様は上記に限定されない。例えば、図５の光偏向構造７’のように、一定のパターンの凹凸ではなく、発光領域５５をランダムなパターン、例えばすりガラス状にすることで、棚板導光板５内を導かれた光を散乱させてもよい。
【００５７】
また、棚板導光板５を複数設けてもよい。その場合には、光源４１から遠い位置に設置された棚板導光板５ほど、内部に導かれる光の量が少なくなり、棚板導光板５ごとの光量が変わる。このような場合には、光源４１に近い側に設けられた棚板導光板５の光出射面７の面積を小さくし、遠い側に棚板導光板５の光出射面７の面積を大きくするとよい。このような構成とすることで、光源４１に近い側に設けられた棚板導光板５の光量が抑えられ、各棚板導光板５の光量を一定に保つことが可能となる。
【００５８】
（光出射面８）
光出射面８は、光出射面７と同様の構成を有する。上部端面３１から背面導光板３内に入射した光は、表面３４の内面３４’と、裏面３５の内面３５’との間を、内面反射を繰り返しながら下部端面３２に向けて導かれる。このとき、背面導光板３内に入射した光は、内面３４’及び３５’のそれぞれで全反射する。背面導光板３内に入射した光は、光出射面８が設けられた領域に入射した場合、光出射面８により偏向される。これにより、その光は、内面３４’で全反射せずに背面導光板３の外部に出射する。この光出射面８により偏向され、背面導光板３の外部に出射した光により、光出射面８が設けられた近傍の空間が照明される。
【００５９】
なお、下部端面３２を金属等でコーティングすることで下部端面３２に反射面を形成し、背面導光板３内を導かれる光を、下部端面３２に設けられた反射面で反射させるように構成してもよい。これにより、下部端面３２で反射した光は、棚板導光板５に入射し、上面５１に設けられた光反射部６で反射され、棚板導光板５内を前部端面５４に向けて導かれる。これにより、光出射面７から出射する光の光量を大きくすることが可能となる。一方で、下部端面３２に吸光材を塗布し、下部端面３２での光の反射を防止してもよい。下部端面３２で反射した光の一部は、内面３５’及び３６’で全反射せずに、下部端面３２近傍で背面導光板３の外部に漏れる。下部端面３２に吸光材を塗布することで、この光を防止することが可能となる。この場合には、上面５１に光反射部６を設けない構成としてもよい。
【００６０】
以上のように、本実施形態に係る照明装置は、背面導光板３から背部端面５３を介して上面５１または下面５２に入射した光を、その面に対してあらかじめ決められた角度θを成して形成された反射面６１により内面反射させる。これにより背面導光板３内を導かれた光を、棚板導光板５内に導き、棚板導光板５内を導光させる。このような構成とすることで、棚板導光板５ごとに光源４１を設ける必要が無くなる。そのため、背面導光板３内を導かれた光を棚板導光板５内に導光させる過程において、不透明の部分を形成することなく、棚板導光板５を発光させることが可能となる。
【００６１】
（実施例１）
次に、実施例１として、各光反射部６の角度θを一定とした場合における、角度θと、背面導光板３内の光量に対する棚板導光板５内の光量の割合との関係について図８Ａ及び図８Ｂを参照しながら説明する。なお、実施例１では、背面導光板３の厚さＷ１＝１０ｍｍ、棚板導光板５の厚さＷ２＝１０ｍｍ、空気の屈折率ｎ１＝１．０、背面導光板３の屈折率ｎ２＝１．５、棚板導光板５の屈折率ｎ３＝１．５として、背面導光板３内の光量及び棚板導光板５内の光量を測定している。図８Ａ及び図８Ｂは、最大距離Ｌ１に対する距離Ｌの比率をＬ／Ｌ１としたとき、Ｌ／Ｌ１＝０．１、０．３、０．５、０．７、及び０．９の地点に、同じ角度θの傾きを持つ反射面６１を備えた光反射部６を設けた場合の測定値を示している。図８Ａは、角度θ（０°≦θ≦５０°）と背面導光板３内の光量と棚板導光板５内の光量との関係を表した表である。また、図８Ｂは、図８Ａに示した表を基に、光反射部６の角度θと、背面導光板３内の光量に対する棚板導光板５内の光量の割合との関係を示したグラフである。
【００６２】
ここで、図９を参照する。図９は、本実施例において、Ｌ／Ｌ１＝０．０５、０．１０、０．３０、０．５０、０．７０、０．９０、及び１．００のそれぞれに対する、θ３ｍｉｎ（Ｌ／Ｌ１）、θ３ｍａｘ、θｍｉｎ（Ｌ／Ｌ１）、θｍａｘ１（Ｌ／Ｌ１）、及びθｍａｘ２（Ｌ／Ｌ１）の計算値を示した表である。
【００６３】
図９に示すように、Ｌ／Ｌ１＝０．９のとき、角度θｍｉｎ（Ｌ／Ｌ１）は約２．９７°となる。また、Ｌ／Ｌ１＝０．０５のとき、角度θｍａｘ１（Ｌ／Ｌ１）（即ち、θｍａｘ（Ｌ／Ｌ１））は、約４３．７１°となる。このときの背面導光板３内の光量に対する棚板導光板５内の光量の割合は、図８Ｂに示すように、０．０１以上となる。即ち、［数４］及び［数５］で示した式を用いて、以下の条件に基づき光反射部６の角度θを決定することで、背面導光板３内の光量に対する棚板導光板５内の光量の割合として０．０１以上の値を確保することが可能となる。
［数７］
2012252949.tif 000027
但し、θｍｉｎ（０．９）は、［数４］に示した角度θｍｉｎ（Ｌ／Ｌ１）の式にＬ／Ｌ１＝０．９を代入した式を示している。また、θｍａｘ１（０．０５）は、［数５］で示した角度θｍａｘ１（Ｌ／Ｌ１）の式にＬ／Ｌ１＝０．０５を代入した式を示している。
【００６４】
また、図９に示すように、Ｌ／Ｌ１＝０．７のとき、角度θｍｉｎ（Ｌ／Ｌ１）は約９．７６°となる。また、Ｌ／Ｌ１＝０．３のとき、角度θｍａｘ１（Ｌ／Ｌ１）（即ち、θｍａｘ（Ｌ／Ｌ１））は、約３７．４９°となる。このときの背面導光板３内の光量に対する棚板導光板５内の光量の割合は、図８Ｂに示すように、０．０３以上となる。即ち、［数４］及び［数５］で示した式を用いて、以下の条件に基づき光反射部６の角度θを決定することで、背面導光板３内の光量に対する棚板導光板５内の光量の割合として０．０３以上の値を確保することが可能となる。
［数８］
2012252949.tif 000028
但し、θｍｉｎ（０．７）は、［数４］に示した角度θｍｉｎ（Ｌ／Ｌ１）の式にＬ／Ｌ１＝０．７を代入した式を示している。また、θｍａｘ１（０．３）は、［数５］で示した角度θｍａｘ１（Ｌ／Ｌ１）の式にＬ／Ｌ１＝０．３を代入した式を示している。
【００６５】
（実施例２）
次に、実施例２として、光反射部６の角度θの条件を変更した場合における、背面導光板３内の光量に対する棚板導光板５内の光量の割合の測定値について、図１０Ａ、図１０Ｂ、、図１１及び、図１２を参照しながら以下に説明する。なお、実施例２では、背面導光板３の厚さＷ１＝１０ｍｍ、棚板導光板５の厚さＷ２＝１０ｍｍ、空気の屈折率ｎ１＝１．０、背面導光板３の屈折率ｎ２＝１．５、棚板導光板５の屈折率ｎ３＝１．５として、背面導光板３内の光量及び棚板導光板５内の光量を測定している。ここで、図１０Ａ及び図１０Ｂを参照する。
【００６６】
図１０Ａは、Ｌ／Ｌ１＝０．０５、０．１０、０．３０、０．５０、０．７０、０．９０、及び１．００の場合における、条件２−０〜２−５、及び比較例２−１、２−２の例を示した表である。また、図１０Ｂは、Ｌ／Ｌ１＝０．０５、０．１０、０．３０、０．５０、０．７０、０．９０、及び１．００の場合における、条件２−６〜２−１０の例を、条件２−０、比較例２−１、及び比較例２−２とあわせて示した表である。図１１は、図１０Ａ及び図１０Ｂに示した各条件と、θｍａｘ１（Ｌ／Ｌ１）の条件とについて、Ｌ／Ｌ１と光反射部６の角度θとの関係を示したグラフである。なお、背面導光板３内の光量に対する棚板導光板５内の光量の割合としては、０．０２程度あれば、照明に必要な光量を得ることが可能である。そこで、条件２−０〜２−１０には、この割合として０．０２以上の値を確保可能な条件を示している。また、比較例２−１及び２−２は、条件２−０〜２−１０との比較用の例として、この割合が０．０２に満たない条件を示している。以下に、各条件について具体的に説明する。
【００６７】
（条件２−０）
条件２−０は、各Ｌ／Ｌ１に対し０．５を加算した値「Ｌ／Ｌ１＋０．５」を、［数４］で示したθｍｉｎ（Ｌ／Ｌ１）に代入して求めた角度を示している。即ち、Ｌ／Ｌ１＝０．５５、０．６０、０．８０、１．００、１．２０、１．４０、及び１．５０を、［数４］で示したθｍｉｎ（Ｌ／Ｌ１）に代入して光反射部６の角度θを求めている。なお、この場合のθｍｉｎ（Ｌ／Ｌ１）を、「θｍｉｎ（Ｌ／Ｌ１＋０．５）」と示す場合がある。
【００６８】
（条件２−１）
条件２−１は、各Ｌ／Ｌ１に対し０．１５を加算した値「Ｌ／Ｌ１＋０．１５」を、［数４］で示したθｍｉｎ（Ｌ／Ｌ１）に代入して求めた角度を示している。即ち、Ｌ／Ｌ１＝０．２０、０．２５、０．４５、０．６５、０．８５、１．０５、及び１．１５を、［数４］で示したθｍｉｎ（Ｌ／Ｌ１）に代入して光反射部６の角度θを求めている。なお、この場合のθｍｉｎ（Ｌ／Ｌ１）を、「θｍｉｎ（Ｌ／Ｌ１＋０．１５）」と示す場合がある。
【００６９】
（条件２−２）
条件２−２は、各Ｌ／Ｌ１を、［数５］で示したθｍａｘ（Ｌ／Ｌ１）の式に代入して求めた角度から「２°」減算した値を示している。即ち、条件２−２は、光反射部６の角度θの最大値を超えない、その最大値の近傍の値を示している。
【００７０】
（条件２−３）
条件２−３は、後述の条件２−４から３ずつ減算して求めた角度を示している。条件２−３は、条件式２−４からさらに下限側に３ずつ小さな値を示している。
【００７１】
（条件２−４）
条件２−４は、各Ｌ／Ｌ１に対し０．２を加算した値「Ｌ／Ｌ１＋０．２」を、［数４］で示したθｍｉｎ（Ｌ／Ｌ１）に代入して求めた角度を示している。即ち、Ｌ／Ｌ１＝０．２５、０．３、０．５、０．７、０．９、１．１、及び１．２を、［数４］で示したθｍｉｎ（Ｌ／Ｌ１）に代入して光反射部６の角度θを求めている。なお、この場合のθｍｉｎ（Ｌ／Ｌ１）を、「θｍｉｎ（Ｌ／Ｌ１＋０．２）」と示す場合がある。
条件２−４は、請求項１０の上限と下限の間の領域のうち下限側から１／２から１／４付近にθを設定した場合の値を示している。
【００７２】
（条件２−５）
条件２−５は、条件２−４の値のうち、負の値のものを０で置き換えて求めた角度を示している。条件２−５は、請求項１０の上限と下限の間の領域のうち下限側から１／３付近に正のθを設定した場合の値を示している。
【００７３】
（条件２−６）
条件２−６は、請求項１０の上限と下限の間の領域のうち、Ｌ／Ｌ１＝０．１では上限から１／６程度、Ｌ／Ｌ１＝１．０付近では上限から１／２より３程度大きくなるようにして求めた角度を示している。条件２−６は、前記上限と下限が規定するθの式の傾きよりも傾きが大きい、つまりＬ／Ｌ１の増加に伴うθの減少量が大きい場合の値を示している。
【００７４】
（条件２−７）
条件２−７は、請求項１０の上限と下限の間の領域のうち、Ｌ／Ｌ１＝０．１では上限から１／６程度、Ｌ／Ｌ１＝１．０付近では上限から１／２程度３程度小さくなるようにして求めた角度を示している。条件２−７は、前記上限と下限が規定するθの式の傾きよりも傾きが大きい、つまりＬ／Ｌ１の増加に伴うθの減少量が大きい場合の値を示している。
【００７５】
（条件２−８）
条件２−８は、Ｌ／Ｌ１＝０．１における値が２７となり、Ｌ／Ｌ１が０．２増加する毎に２ずつ減算するという条件で求めた角度を示している。条件２−８は、請求項１０の上限および下限が規定するθの傾きよりも、傾きが小さい場合の値を示している。
【００７６】
（条件２−９）
条件２−９は、Ｌ／Ｌ１＝０．１における値が２０となり、Ｌ／Ｌ１が０．２増加する毎に１ずつ減算するという条件で求めた角度を示している。条件２−９は、請求項１０の上限および下限が規定するθの傾きよりも、傾きが小さい場合の値を示している。
【００７７】
（条件２−１０）
条件２−１０は、Ｌ／Ｌ１＝０．１における値が１５となり、Ｌ／Ｌ１が０．２増加する毎に２ずつ減算するという条件で求めた角度を示している。条件２−１０は、請求項１０の上限および下限が規定するθの傾きよりも、傾きが小さい場合の値を示している。
【００７８】
（比較例２−１）
また、比較用の例として、比較例２−１及び２−２を示している。比較例２−１は、各Ｌ／Ｌ１を、［数５］で示したθｍａｘ（Ｌ／Ｌ１）の式に代入して求めた角度に「２°」を加算した値を示している。即ち、比較例２−１は、光反射部６の角度θの最大値を超えた値を示している。
【００７９】
（比較例２−２）
また、比較例２−２は、条件２−０として導出した角度から「２．５°」を減算した値を示している。
【００８０】
ここで、図１２を参照する。図１２は、条件２−０〜２−１０、比較例２−１、及び比較例２−２で示された条件において、背面導光板３内の光量に対する棚板導光板５内の光量の割合の測定値である。この割合としては、０．０２程度以上あれば、照明に必要な光量を得ることが可能であり、図１２に示すように、条件２−０〜２−１０はこの条件を満たしている。
【００８１】
具体的には、条件２−０において、背面導光板３内の光量に対する棚板導光板５内の光量の割合が、約「０．０２」の値を示している。これに対し、比較例２−２は、この割合が約「０．０１７」となっており０．０２に満たない。また、条件２−２で示す条件では、この割合として約０．０２６の値を示している。これに対し、比較例２−１は、この割合が「０．０１３」となっており０．０２に満たない。
【００８２】
以上のように、光反射部６の角度θの最大値は、［数５］で示したθｍａｘ（Ｌ／Ｌ１）の式から求める。また、光反射部６の角度θの最小値を、［数４］で示したθｍｉｎ（Ｌ／Ｌ１）の式に、θｍａｘ（Ｌ／Ｌ１）に代入したＬ／Ｌ１に０．６を加算した値「Ｌ／Ｌ１＋０．５」を代入する、即ち、θｍｉｎ（Ｌ／Ｌ１＋０．５）により求める。即ち、［数４］及び［数５］で示した式を用いて、以下の条件に基づき光反射部６の角度θを決定することで、背面導光板３内の光量に対する棚板導光板５内の光量の割合として０．０２以上の値を確保することが可能となる。
［数９］
2012252949.tif 000029
【００８３】
（第２の実施形態）
次に、第２の実施形態に係る照明装置について、図１３Ａ及び図１３Ｂを参照しながら説明する。図１３Ａは、第２の実施形態に係る照明装置の概略断面図である。また、図１３Ｂは、図１３Ａにおける光反射部６の近傍を拡大した拡大断面図である。まず図１３Ａを参照する。図１３Ａに示すように本実施形態に係る照明装置は、補強部９を備えている。以降では、本実施形態に係る照明装置について、第１の実施形態と異なる補強部９の周辺の構造に着目し説明する。
【００８４】
補強部９は、図１３Ａに示すように、棚板導光板５の下部に設けられ、棚板導光板５を下方向から支持する。
【００８５】
ここで、図１３Ｂを参照する。図１３Ｂに示すように、補強部９は、支持面９１と、接合面９２と、斜面９３とを含んで構成される。補強部９は、透光性を有する素材で形成されている。補強部９の素材としては、例えば、樹脂、ガラス等が採用される。
【００８６】
接合面９２は、表面３４と対向するように設けられている。接合面９２と、表面３４との間は接合されており、これにより、補強部９が表面３４上に固定される。接合面９２と、表面３４と間は、例えば、透光性を有する素材で形成された接着剤で接合する。接着剤には、例えば、アクリル系ＵＶ硬化樹脂等が採用される。また、背面導光板３と補強部９とを一体成形してもよい。
【００８７】
支持面９１は、下面５２と対向するように設けられている。支持面９１と下面５２との間は光学的に結合されている。支持面９１と下面５２との間は、透光性を有する接着剤により接合してもよいし、棚板導光板５と補強部９とを一体成形することで、補強部９との間を光学的に結合してもよい。
【００８８】
また、支持面９１と下面５２との間は、下面５２から出射する光が、支持面９１から補強部９内に入射可能であれば、必ずしも接合されている必要は無い。この場合には、支持面９１と下面５２との間の空気の層を、透光性を有し、かつ形状を自由に変更可能な素材で埋める。このような素材には、例えば、シリコーンやアクリル等のエラストマー等を用いればよい。このとき、背部端面５３と結合領域３６との間も、同様に接合せずに、背部端面５３と結合領域３６との間を前述した素材で埋めるとよい。このような構成とすることで、棚板導光板５を着脱可能に構成することが可能となる。
【００８９】
また、斜面９３は、背部端面５３から前部端面５４の方向に、接合面９２から離れるにつれ厚みが減少するように設けられている。このとき、斜面９３は、下面５２からｚ方向に所定の角度θ９の傾きを形成するように設けられている。斜面９３上には、光反射部６が設けられている。
【００９０】
以上のように、本実施形態に係る照明装置は、補強部９を設けることで、棚板導光板５を下方から支持する構成としている。この補強部９は、透光性を有する素材で形成されており、斜面９３には光反射部６が設けられている。そのため、補強部９を設けつつ、第１の実施形態と同様に、背面導光板３から入射した光を棚板導光板５内に導き、導光させることが可能となる。即ち、本実施形態に依れば、補強部９により、棚板導光板５を下方から支持する構成をとり、かつ第１の実施形態と同様の作用効果を得ることが可能となる。
【符号の説明】
【００９１】
１  外枠部
１１  天板
１２  底板
１３  側板
１１１  凹部
２  周溝
３  背面導光板
３１  上部端面
３２  下部端面
３３  側部端面
３４  表面
３５  裏面
３６  結合領域
３７  発光領域
４１  光源
４２  照明ユニット
４３  電源ユニット
５  棚板導光板
５１  上面
５２  下面
５３  背部端面
５４  前部端面
５５  発光領域
６、６’、６Ａ、６Ｂ  光反射部
６１  反射面
６２  端面
６３  接合面
７  光出射面
７’  光偏向構造
８  光出射面
９  補強部
９１  支持面
９２  接合面
９３  斜面
【図１】
2012252949.tif 000039
【図２Ａ】
2012252949.tif 000040
【図２Ｂ】
2012252949.tif 000041
【図３Ａ】
2012252949.tif 000042
【図３Ｂ】
2012252949.tif 000043
【図４Ａ】
2012252949.tif 000044
【図４Ｂ】
2012252949.tif 000045
【図４Ｃ】
2012252949.tif 000046
【図５Ａ】
2012252949.tif 000047
【図５Ｂ】
2012252949.tif 000048
【図６】
2012252949.tif 000049
【図７Ａ】
2012252949.tif 000050
【図７Ｂ】
2012252949.tif 000051
【図８Ａ】
2012252949.tif 000052
【図８Ｂ】
2012252949.tif 000053
【図９】
2012252949.tif 000054
【図１０Ａ】
2012252949.tif 000055
【図１０Ｂ】
2012252949.tif 000056
【図１１】
2012252949.tif 000057
【図１２】
2012252949.tif 000058
【図１３Ａ】
2012252949.tif 000059
【図１３Ｂ】
2012252949.tif 000060